(57)【要約】  【課題】  録画処理情報および録画処理実施状況を不特定多数のユーザーから隠蔽することが可能な映像情報処理装置を提供する。  【解決手段】  ユーザーから録画予約指示を受け付けた際に、秘匿録画（録画動作の動作状況を他ユーザーに認識されないように実施する録画）を行うかどうかをユーザーに対して選択させる。秘匿録画に指定された録画予約が実行される場合、録画実行中であることを示す各種情報（録画チャネル、録画時間等）を表示部等に表示せず、通常の待機状態（もしくは録画停止状態等）と同様の状態を維持し、あたかも録画処理が行われていないかのような外観を維持しながら録画処理を行う。【選択図】      図１
2007059978.tif 000002
【特許請求の範囲】
【請求項１】
映像情報の記憶処理を、ユーザーからの指示に基づき指定された日時に自動的に行う録
画予約機能と、
前記録画予約機能を用いた録画処理中に前記録画処理内容を表示する表示部と、
を備えた映像情報処理装置において、
制御部が、映像情報の録画予約指示をユーザーから受け付けた際に、前記ユーザーに対
して、前記録画予約指示によって実施される録画処理の処理動作を不特定多数のユーザー
に対して秘匿するかどうかを選択可能とする録画秘匿設定手段と、
前記制御部が、前記予約録画指示による録画処理を実施する際に、前記録画予約指示に
対して前記録画秘匿設定手段により秘匿設定がなされているかどうかを確認する秘匿設定
確認手段と、
前記秘匿設定確認手段において、前記秘匿設定がなされていると判断された場合に、前
記録画処理実施時に録画処理実施中であることを示す情報を前記表示部に表示せず、通常
待機時と同様の動作外観を維持する録画秘匿手段と、
前記録画秘匿手段の実施中に不特定多数のユーザーから前記録画処理に影響を与える割
り込み指示を受けた場合に、どのような対応を行うかを定めた割り込み指示発生時対応方
法を、予めユーザーが設定可能である対応方法設定手段と、
前記割り込み指示発生時に、前記対応方法設定手段により定められた対応方法を用いて
対応処理を行う割り込み時対応手段と、
前記録画秘匿手段を用いた録画処理実施中に、予め定められた一定の操作をユーザーが
行うことにより、前記録画処理が正常に実行中であるかを確認することが可能である秘匿
録画状況確認手段と、
を備えたことを特徴とする映像情報処理装置。
【請求項２】
映像情報の記憶処理を、ユーザーからの指示に基づき指定された日時に自動的に行う録
画予約機能と、
前記録画予約機能を用いた録画処理中に前記録画処理内容を表示する表示部と、
を備えた映像情報処理装置において、
制御部が、映像情報の録画予約指示をユーザーから受け付けた際に、前記ユーザーに対
して、前記録画予約指示によって実施される録画処理の処理動作を不特定多数のユーザー
に対して秘匿するかどうかを選択可能とする録画秘匿設定手段と、
前記制御部が、前記予約録画指示による録画処理を実施する際に、前記録画予約指示に
対して前記録画秘匿設定手段により秘匿設定がなされているかどうかを確認する秘匿設定
確認手段と、
前記秘匿設定確認手段において、前記秘匿設定がなされていると判断された場合に、前
記録画処理実施時に録画処理実施中であることを示す情報を前記表示部に表示せず、通常
待機時と同様の動作外観を維持する録画秘匿手段と、
を備えたことを特徴とする映像情報処理装置。
【請求項３】
前記録画秘匿手段の実施中に不特定多数のユーザーから前記録画処理に影響を与える割
り込み指示を受けた場合に、どのような対応を行うかを定めた割り込み指示発生時対応方
法を、予めユーザーが設定可能である対応方法設定手段と、
前記割り込み指示発生時に、前記対応方法設定手段により定められた対応方法を用いて
対応処理を行う割り込み時対応手段と、
を備えたことを特徴とする請求項２に記載の映像情報処理装置。
【請求項４】
前記録画秘匿手段を用いた録画処理実施中に、予め定められた一定の操作をユーザーが
行うことにより、前記録画処理が正常に実行中であるかを確認することが可能である秘匿
録画状況確認手段
を備えたことを特徴とする請求項２または請求項３に記載の映像情報処理装置。
【請求項５】
映像情報の記憶処理を、ユーザーからの指示に基づき指定された日時に自動的に行う録
画予約工程と、
前記録画予約工程における録画処理中に前記録画処理内容を表示する表示工程と、
を有する映像情報処理方法において、
制御部が、映像情報の録画予約指示をユーザーから受け付けた際に、前記ユーザーに対
して、前記録画予約指示によって実施される録画処理の処理動作を不特定多数のユーザー
に対して秘匿するかどうかを選択可能とする録画秘匿設定工程と、
前記制御部が、前記予約録画指示による録画処理を実施する際に、前記録画予約指示に
対して、前記録画秘匿設定工程において秘匿設定がなされているかどうかを確認する秘匿
設定確認工程と、
前記秘匿設定確認工程において、前記秘匿設定がなされていると判断された場合に、前
記録画処理実施時に録画処理実施中であることを示す情報を前記表示工程により表示せず
、通常待機時と同様の動作外観を維持する録画秘匿工程と、
前記録画秘匿工程の実施中に不特定多数のユーザーから前記録画処理に影響を与える割
り込み指示を受けた場合に、どのような対応を行うかを定めた割り込み指示発生時対応方
法を、予めユーザーが設定可能である対応方法設定工程と、
前記割り込み指示発生時に、前記対応方法設定工程により定められた対応方法を用いて
対応処理を行う割り込み時対応工程と、
前記録画秘匿工程を用いた録画処理実施中に、予め定められた一定の操作をユーザーが
行うことにより、前記録画処理が正常に実行中であるかを確認することが可能である秘匿
録画状況確認工程と、
を有することを特徴とする映像情報処理方法。
【請求項６】
映像情報の記憶処理を、ユーザーからの指示に基づき指定された日時に自動的に行う録
画予約工程と、
前記録画予約工程における録画処理中に前記録画処理内容を表示する表示工程と、
を有する映像情報処理方法において、
制御部が、映像情報の録画予約指示をユーザーから受け付けた際に、前記ユーザーに対
して、前記録画予約指示によって実施される録画処理の処理動作を不特定多数のユーザー
に対して秘匿するかどうかを選択可能とする録画秘匿設定工程と、
前記制御部が、前記予約録画指示による録画処理を実施する際に、前記録画予約指示に
対して、前記録画秘匿設定工程において秘匿設定がなされているかどうかを確認する秘匿
設定確認工程と、
前記秘匿設定確認工程において、前記秘匿設定がなされていると判断された場合に、前
記録画処理実施時に録画処理実施中であることを示す情報を前記表示工程により表示せず
、通常待機時と同様の動作外観を維持する録画秘匿工程と、
を有することを特徴とする映像情報処理方法。
【請求項７】
前記録画秘匿工程の実施中に不特定多数のユーザーから前記録画処理に影響を与える割
り込み指示を受けた場合に、どのような対応を行うかを定めた割り込み指示発生時対応方
法を、予めユーザーが設定可能である対応方法設定工程と、
前記割り込み指示発生時に、前記対応方法設定工程により定められた対応方法を用いて
対応処理を行う割り込み時対応工程と、
を有することを特徴とする請求項６に記載の映像情報処理方法。
【請求項８】
前記録画秘匿工程を用いた録画処理実施中に、予め定められた一定の操作をユーザーが
行うことにより、前記録画処理が正常に実行中であるかを確認することが可能である秘匿
録画状況確認工程
を有することを特徴とする請求項６または請求項７に記載の映像情報処理方法。
【発明の詳細な説明】
【技術分野】
【０００１】
本発明は、映像情報処理装置、および映像情報処理方法に関するものであり、特に予約
録画処理における録画処理動作の秘匿方法に関する。
【背景技術】
【０００２】
近年、テレビ等の映像装置において処理される映像および音声の記録および再生を行う
ための装置として、ビデオテープレコーダやＤＶＤ（Digital Versatile Disk）レコーダ
、或いはＨＤＤ（Hard Disk Drive）レコーダ等の映像情報処理装置が広く普及している
。これらの映像情報処理装置は通常、映像および音声の記録（録画）を特定の日時に自動
的に行うための機能（予約録画機能）を備えている。
【０００３】
通常、予約録画機能を用いた録画の実施中は、録画中を示すための各種情報がフロント
パネル等に表示され、他ユーザーかも録画動作中であることを確認できるようになってい
る。このため、他ユーザーは、録画実施中のＨＤＤレコーダに対して例えば電源の停止指
示等を行い、現在継続中の録画処理に影響を与える（現在の録画処理を停止させる）など
の操作ミスを防止することが可能である。しかしながら反面、録画動作中は録画情報が継
続的に表示されるため、不特定多数のユーザーに対して録画情報が漏洩するという問題が
あった。
【０００４】
上記の問題に関連して特許文献１においては、予約録画動作中の消費電力を極力に低減
することができる予約録画装置が開示されている。
【０００５】
特許文献１の予約録画装置は、予め設定された時刻に所定の記録動作をさせ得るタイマ
回路と、各種動作状態の表示を行い得る表示回路とを有している。前記タイマ回路によっ
て記録動作が実行される際に、上記表示回路に基づく表示を非表示状態に制御する。また
、前記表示回路によって制御される表示に対して付加的に設けられた付加機能表示を、前
記タイマ回路によって記録動作が実行されているときに非表示状態に制御する。
【０００６】
また特許文献１の予約録画装置は、前記表示回路によって制御される表示を、液晶表示
素子と補助照明部材で形成し、前記タイマ回路によって記録動作が実行されているときに
前記補助照明部材による発光を停止する。そして、前記タイマ回路に基づく記録動作が実
行される以前のスタンバイ状態のときに上記表示回路に基づく表示を非表示状態に制御す
る機能を備えている。また、前記タイマ回路によって記録動作が実行されているときに、
上記表示回路に基づく表示を非表示状態に制御する動作を任意に解除する。
【０００７】
特許文献１の発明によれば、予約録画動作中に、実際にはユーザーが殆ど見ることの無
い表示部に対する電源供給を停止するため、無駄な電力消費を極力少なくすることができ
、大幅な省エネを図れ、特に装置回路への電源供給が電源電池を用いて行われるときには
電池寿命を著しく増加させることが可能である。
【０００８】
また上記の問題に関連して特許文献２においては、予約した番組の録画や視聴を行って
いる状態において、表示用信号の出力を継続させつつ表示部による映像の表示および非表
示を任意に切り替えることが可能なテレビジョン装置が開示されている。
【０００９】
特許文献２のテレビジョン装置は、外部記録装置に表示用信号が出力され、かつ表示部
の作動が停止されている状態において作動開始操作が行われたときに、表示部の作動を開
始させる作動開始制御、および外部記録装置に表示用信号が出力され、かつ表示部が作動
している状態において作動停止操作が行われたときに表示用信号の出力を継続させつつ表
示部の作動を停止させる作動停止制御のいずれか一方を実行する。また、予約した番組の
視聴および録画を同時に行っているときに、表示部が作動させられて映像が表示されてい
る状態であっても、作動停止操作を行うことで表示用信号の出力を継続させつつ映像の表
示を停止させる。
【００１０】
特許文献２の発明によれば、例えば予約した番組の予約録画を行っているときに、表示
部の作動が停止させられて映像の表示が停止している状態であっても、作動開始操作を行
うことで映像を表示させることが可能である。また例えば、予約した番組の録画や視聴を
行っている状態において、表示用信号の出力を継続させつつ映像の表示および非表示を任
意に切り替えることが可能である。
【００１１】
しかしながら、上記の特許文献１および特許文献２に開示されている記録再生装置は、
予約録画処理中の省電力や映像の非表示に関する機能は備えているものの、予約録画動作
そのものの秘匿を行うための機能については開示も示唆もなされていない。特許文献１の
予約録画装置はにおいては、省電力モードにより録画処理内容の表示は行われないにして
も、予約録画処理が行われていること自体は他ユーザにとって明確であるため、秘匿機能
としては不完全である。また特許文献２のテレビジョン装置においては、録画処理中の映
像表示を非表示にすることはできても、フロントパネル等に表示される録画情報（録画番
組のチャンネル、録画モード等）については明示されていない。このように、従来の映像
情報処理装置においては、予約録画処理の実施中に予約録画処理の実施状況および録画情
報を不特定多数のユーザーから隠蔽することはできなかった。
【特許文献１】特開２００４−２５３０７６号公報
【特許文献２】特開２００５−０３３４２２号公報
【発明の開示】
【発明が解決しようとする課題】
【００１２】
本発明は、上記の問題を解決するためになされたものであって、その目的は、録画予約
設定により自動的に行われる録画処理について、その録画内容および録画実施の動作状況
を不特定多数のユーザーから隠蔽し、個人情報の保護を図るための録画秘匿機能を備えた
映像情報処理装置を提供することにある。
【課題を解決するための手段】
【００１３】
上記目的を達成するために本発明の映像情報処理装置は、
映像情報の記憶処理を、ユーザーからの指示に基づき指定された日時に自動的に行う録
画予約機能と、
前記録画予約機能を用いた録画処理中に前記録画処理内容を表示する表示部と、
を備えた映像情報処理装置において、
制御部が、映像情報の録画予約指示をユーザーから受け付けた際に、前記ユーザーに対
して、前記録画予約指示によって実施される録画処理の処理動作を不特定多数のユーザー
に対して秘匿するかどうかを選択可能とする録画秘匿設定手段と、
前記制御部が、前記予約録画指示による録画処理を実施する際に、前記録画予約指示に
対して前記録画秘匿設定手段により秘匿設定がなされているかどうかを確認する秘匿設定
確認手段と、
前記秘匿設定確認手段において、前記秘匿設定がなされていると判断された場合に、前
記録画処理実施時に録画処理実施中であることを示す情報を前記表示部に表示せず、通常
待機時と同様の動作外観を維持する録画秘匿手段と、
を備えたことを特徴としている。
【００１４】
この構成によると、
ユーザーから録画予約指示を受け付けた際に、秘匿録画（録画動作の動作状況を他ユー
ザーに認識されないように実施する録画）を行うかどうかをユーザーに対して選択させる
。秘匿録画に指定された録画予約が実行される場合、録画実行中であることを示す各種情
報（録画チャネル、録画時間等）を表示部等に表示せず、通常の待機状態（もしくは録画
停止状態等）と同様の状態を維持し、あたかも録画処理が行われていないかのような外観
を維持しながら録画処理を行う。
【００１５】
また、上記目的を達成するために本発明の映像情報処理装置は、
前記録画秘匿手段の実施中に不特定多数のユーザーから前記録画処理に影響を与える割
り込み指示を受けた場合に、どのような対応を行うかを定めた割り込み指示発生時対応方
法を、予めユーザーが設定可能である対応方法設定手段と、
前記割り込み指示発生時に、前記対応方法設定手段により定められた対応方法を用いて
対応処理を行う割り込み時対応手段と、
を備えたことを特徴としている。
【００１６】
この構成によると、
秘匿録画の実施中に、他ユーザーからの割り込み指示（例えば映像の録画指示や再生指
示等）を受け付けた際に、どのような対応を行うかを、ユーザーが録画予約設定の時点で
予め指定しておくことが可能である。対応方法の例としては、例えば秘匿録画の中断、一
時停止、強制継続などが挙げられる。
【００１７】
また、上記目的を達成するために本発明の映像情報処理装置は、
前記録画秘匿手段を用いた録画処理実施中に、予め定められた一定の操作をユーザーが
行うことにより、前記録画処理が正常に実行中であるかを確認することが可能である秘匿
録画状況確認手段
を備えたことを特徴としている。
【００１８】
この構成によると、
秘匿録画の実施中に、あらかじめ定められた操作（例えば操作部を用いた特定ボタンの
長押し、特定順序でのボタン押下等）を行うことにより、秘匿録画が正常に実行されてい
るかをユーザーが確認することが可能である。
【発明の効果】
【００１９】
本発明の第一の構成によれば、
予約録画処理において秘匿録画を行うかどうかをユーザーが予め選択することができる。
秘匿録画に指定されている録画予約においては、録画実施時に、録画実行中であることを
示す各種情報が一切表示されない。このため、待機状態と同様の外観であるため、不特定
多数のユーザーが視認しても録画処理を行っていると認識されることがない。このため、
録画中にユーザーの個人情報（どのような番組を録画しているか等）の漏洩することを防
ぐことができる。
【００２０】
また本発明の第二の構成によれば、
秘匿録画の実施中に、他ユーザーからの割り込み指示を受け付けた際に、どのような対応
処理を行うかを、ユーザーが録画予約設定の時点で指定しておくことが可能である。これ
により、どうしても秘匿したい録画（秘匿性の高い録画）と、比較的秘匿性の低い録画と
により、異なる対応方法を用いることができる。このため、秘匿録画機能の運用を柔軟に
行うことができ、ユーザーに取っての利便性が向上する。
【００２１】
また本発明の第三の構成によれば、
通常、秘匿録画の実施中は待機状態と同様の外観であるため、秘匿録画が正常に行われて
いるかどうかを目視で確認することはできず、秘匿録画が終了してから録画内容を確認す
ることでしか、録画の実施状況を確認することができない。しかしこの構成によれば、秘
匿録画中であっても、秘匿録画が正常に実施されているかを随時確認することが可能であ
る。このため、録画予約の設定ミスなどにより秘匿録画が正常に行われていない場合でも
、早期に発見することが可能である。
【発明を実施するための最良の形態】
【００２２】
本発明の実施の一形態について、図面に基づいて説明すれば、以下の通りである。
［実施の形態］
〈１．ＨＤＤレコーダの内部構成について〉
ここで、本発明の第一の実施形態におけるＨＤＤレコーダ１の電気回路システムの要部
構成を、図３のブロック図を用いながら説明する。
【００２３】
図３のブロック図に示すように、本発明のＨＤＤレコーダ１は、少なくとも、制御部１
１、メモリ１２、ＨＤＤ１３、データ入力部１４、エンコーダ部１５、デコーダ部１６、
データ出力部１７、タイマー１８、操作ボタン群２１、およびフロントパネル２２を含む
ように構成されている。
【００２４】
制御部１１は、ＨＤＤレコーダ１の各部材の駆動を有機的に制御することにより映像情
報処理（コンテンツの録画、或いは再生等）を統括制御するための中央処理装置である。
また制御部１１は、各装置（例えばＨＤＤ１３等）の制御やデータの計算、加工処理等を
行なう中枢部分となっている。
【００２５】
メモリ１２は、ＨＤＤレコーダ１が保持する各種データを一時的に記憶する媒体であり
、例えば書込可能なＲＡＭ（Random Access Memory）等により構成されている。メモリ１
２は、例えば制御部１１によって各種情報処理が行われる際の処理データや、ユーザーか
ら受けた指示命令等を一時的に記憶しておくためのバッファメモリとしての役割を持つ。
【００２６】
ＨＤＤ１３は、ＨＤＤレコーダ１が保持する各種データ（映像データ、および管理デー
タ等）を記録するための磁気記憶媒体である。なお、ＨＤＤ１３は、複数の領域（パーテ
ィション）に物理的に分割されており、記憶するデータの種別（映像データ、管理データ
等）に応じて領域別に記憶することがより望ましい。
【００２７】
データ入力部１４は、例えばデジタルチューナーなどの外部装置からデジタルデータ（
映像情報）を入力するための入力インタフェースである。また、例えばアナログデータを
入力する場合は、Ａ／Ｄコンバータ（Analog Digital Converter）を用いてアナログの映
像データおよび音声データをデジタルデータに変換して入力することが可能である。
【００２８】
エンコーダ部１５は、映像データをＭＰＥＧ２等の動画圧縮方式により圧縮（エンコー
ド）を行ったり、音声データをＤｏｌｂｙ  ＡＣ−３やＬＰＣＭ等の音声圧縮方式により
圧縮を行うための処理回路である。なお、圧縮を行うデータとしては、例えばデータ入力
部１４より入力された映像データおよび音声データ等が対象となる。
【００２９】
デコーダ部１６は、前記エンコーダ部１５等により圧縮された映像データおよび音声デ
ータを伸長（デコード）するための処理回路である。伸張が行われたデータは、例えば後
述するデータ出力部１７等を用いて外部機器に対して出力される。
【００３０】
データ出力部１７は、例えばモニターなどの外部装置に対して映像データおよび音声デ
ータを出力するための出力インタフェースである。なお、例えば出力先の機器がアナログ
インタフェースしか備えていない場合は、Ｄ／Ａコンバータ（Digital Analog Converter
）を用いてデジタルの映像データおよび音声データをアナログデータに変換して出力する
ことが可能である。
【００３１】
タイマー１８は、現在時刻を常時カウントするための刻時用回路であり、例えばユーザ
ーに対する現在時刻の通知や、録画予約機能における録画処理開始のトリガー等として用
いられる。
【００３２】
操作ボタン群２１は、ユーザーが番組の録画および録画予約等の各種指示をＨＤＤレコ
ーダ１に対して行なうための入力インターフェースである。フロントパネル２２は、ＨＤ
Ｄレコーダ１の各種情報をユーザーに対して表示するためのユーザーインタフェースであ
る。
〈２．録画予約工程について〉
ここで、本発明のＨＤＤレコーダ１における録画予約処理の処理工程を、図１のフロー
図と、図３のブロック図とを用いながら説明する。
【００３３】
図１に示すように、制御部１１がユーザーからの録画予約命令を検知することにより、
本処理が開始される（Ｓ１１０）。なお、録画予約命令は、例えばユーザーが操作ボタン
群２１を用いて予約操作を行なった場合等に発行される。
【００３４】
ユーザーより録画予約命令を受けた制御部１１は、受け付けた予約内容を確認し、ＨＤ
Ｄ１３に記憶する（Ｓ１２０）。そして、受け付けた録画予約が、秘匿録画（録画処理中
に、他ユーザーに対して録画処理実施中であることを認識させない録画）に指定されてい
るかを確認する（Ｓ１３０）。例えば図４に示すように、録画予約設定画面において、Ｎ
ｏ．２のコンテンツ（ドラマＢ）に対してのみ、秘匿録画の指定がＯＮになっていたとす
る。この場合、ドラマＢは秘匿録画が行われるが、秘匿録がの指定がＯＦＦになっている
コンテンツ（図中ではコンテンツＮｏ．１のアニメＡおよびコンテンツＮｏ．３のバラエ
ティＣ）の録画処理は、通常通りに行われる。
【００３５】
前記Ｓ１３０の結果、録画対象コンテンツが秘匿録画に指定されている場合、次のＳ１
４０に移行する。秘匿録画に指定されていない場合、通常の予約録画処理を行い、本処理
を終了する。なお、通常の予約録画処理については、従来技術と同内容であるためここで
は説明を省略する。
【００３６】
前記Ｓ１３０において秘匿録画が指示されていると判断された場合、ユーザーに対して
、録画秘匿処理中に割り込み処理（他ユーザーによる操作指示等）が発生した際にどのよ
うな対応を行うかを設定するための選択肢を表示し、選択を要求する（Ｓ１４０）。
【００３７】
例えば図５に示すように、割り込み処理が入った場合における数種類の対応方法（割り
込み時対応方法）を、録画予約設定画面においてユーザーが選択できるようになっている
。図５の例では、選択できる割り込み時対応方法として、「継続」、「一時停止」、「中
断」の三つが選択対象となっている。ユーザーにより選択された割り込み時対応方法は、
録画予約情報と共に、ＨＤＤ１３に記憶される。なお、割り込み時対応方法の詳細につい
ては後述する。
〈３．予約録画処理工程について〉
ここで、本発明のＨＤＤレコーダ１における予約録画処理の処理工程を、図２のフロー
図と、図３のブロック図とを用いながら説明する。
【００３８】
図２に示すように、制御部１１がタイマー１８を用いて、ＨＤＤ１３に記憶されている
予約録画情報の予約開始時刻が来たことを検知することにより、本処理が開始される（Ｓ
２１０）。
【００３９】
タイマー１８により録画開始時刻が来たことを検知した制御部１１は、ＨＤＤ１３に記
憶されている録画予約情報を読み出す。そして録画予約情報から録画方法（対象コンテン
ツや録画時間等）を特定すると共に、該当予約録画が秘匿録画に指定されているかの確認
を行う（Ｓ２２０）。秘匿録画に指定されている場合は、次のＳ２３０に移行する。秘匿
録画が指定されていない場合は、通常の録画処理を行い（Ｓ２７０）本処理を終了する。
【００４０】
実行する予約録画が秘匿録画に指定されている場合、録画処理を開始すると共に、録画
情報（番組名、録画時間等）をフロントパネル２２等の表示部に一切表示しない。また併
せて、データ出力部１７を用いた録画情報の外部出力等も一切行わず、録画未実施の状態
（例えば待機状態等）を維持する。
【００４１】
秘匿録画実施中に、ユーザーより割り込み指示（映像の再生等の指示）を受けた場合は
、次のＳ２５０に移行する（Ｓ２４０）。割り込み指示を受けずに秘匿録画が終了した場
合、本処理を終了する。
【００４２】
前記Ｓ２４０においてユーザーより割り込み指示を受けた場合、ＨＤＤ１３（もしくは
メモリ１２）に記憶されている、割り込み時対応方法を読み出す（Ｓ２５０）。制御部１
１は、読み出した割り込み時対応方法に応じて、割り込み指示に対する対応処理を行う（
Ｓ２６０）。対応方法の具体例としては、例えば図５に示すように、「継続」、「一時停
止」、「中断」などが挙げられる。
【００４３】
「継続」が選択された場合、割り込み処理があった場合でも、秘匿録画処理を継続して
行う。この場合、割り込み処理は無効化される。また、「一時停止」を選択した場合、割
り込み処理が優先され、秘匿録画処理は一時停止される。他ユーザーからの割り込み処理
が終了した時点で、再度、秘匿録画処理が有効となる。なおこの場合、割り込み処理によ
って中断されるのは録画の秘匿処理（例えば、フロントパネルへの録画情報の非表示等）
だけであり、録画処理そのものは継続される（ただし、割り込み指示により録画の停止や
録画停止等を指示された場合はこの限りではない）。また、「中断」が選択された場合、
割り込み処理が優先され、秘匿録画処理は停止される。停止された秘匿処理は、割り込み
処理が終わった後も再開することはない（ただし録画処理自体は通常通り継続的に実行さ
れる）。
〈３．本発明の種々ある特徴について〉
本実施形態によると、予約録画の実施中に、録画情報等をフロントパネル２２等に表示
することなく、録画処理中であることを隠蔽するかどうかをユーザーが選択することが可
能である。これにより、録画情報を不特定多数のユーザーに対して漏洩することを防ぎ、
個人情報を保護することが可能である。
【００４４】
また本実施形態によると、秘匿録画の実施中にユーザーより割り込み指示を受け付けた
際に、どのような対応処理を行うかを予め指定しておくことが可能である。これにより、
秘匿録画における秘匿性の大小により、柔軟な秘匿録画設定を行うことが可能である。
【００４５】
また本実施形態によると、秘匿録画の実施中に一定の操作を行うことにより、秘匿録画
が正常に行われているかを確認することが可能である。このため、秘匿録画状況の確認を
秘匿録画の終了を待たずして行うことができ、ユーザーにとっての利便性が向上する。
［その他の実施の形態］
以上、好ましい実施の形態及び実施例をあげて本発明を説明したが、本発明は必ずしも
上記実施の形態及び実施例に限定されるものではなく、その技術的思想の範囲内において
様々に変形して実施することができる。
【００４６】
例えば前述した実施形態の機能を実現するソフトウェアのプログラムコードを記録した
記憶媒体を、ＨＤＤレコーダ１に供給し、そのＨＤＤレコーダ１内のコンピュータ（例え
ばＣＰＵ）が記憶媒体に格納されたプログラムコードを読出し実行することによっても、
達成されることは言うまでもない。
【００４７】
この場合、記憶媒体から読出されたプログラムコード自体が、前述した実施形態の機能
を実現することになり、そのプログラムコードを記憶した記憶媒体は本発明を構成するこ
とになる。
【００４８】
なお、プログラムコードを供給するための記憶媒体としては、例えば、フロッピディス
ク、ハードディスク、光ディスク、光磁気ディスク、ＣＤ−ＲＯＭ、ＣＤ−Ｒ、磁気テー
プ、不揮発性のメモリカード、ＲＯＭなどを用いることができる。
【００４９】
また、コンピュータが読出したプログラムコードを実行することにより、前述した実施
形態の機能が実現されるだけでなく、そのプログラムコードの指示に基づき、コンピュー
タ上で稼働しているＯＳ（オペレーティングシステム）などが実際の処理の一部または全
部を行い、その処理によって前述した実施形態の機能が実現される場合も含まれることは
言うまでもない。
【００５０】
さらに、記憶媒体から読出されたプログラムコードが、コンピュータに挿入された機能
拡張ボードやコンピュータに接続された機能拡張ユニットに備わるメモリに書込まれた後
、そのプログラムコードの指示に基づき、その機能拡張ボードや機能拡張ユニットに備わ
るＣＰＵなどが実際の処理の一部または全部を行い、その処理によって前述した実施形態
の機能が実現される場合も含まれることは言うまでもない。
【００５１】
また、本発明の映像情報処理方法が、ＨＤＤレコーダ以外の映像処理装置において用い
られたとしても、同様の効果がえられることは言うまでもない。なお、映像情報処理装置
としては、例えばＤＶＤレコーダ、ビデオテープレコーダ（ＶＴＲ）、ＤＶレコーダ、パ
ソコン、デジタルビデオカメラ、などが挙げられる。
【図面の簡単な説明】
【００５２】
【図１】本発明のＨＤＤレコーダによる秘匿録画設定処理の処理フロー図である。
【図２】本発明のＨＤＤレコーダによる秘匿録画実行処理の処理フロー図である。
【図３】本発明のＨＤＤレコーダ内部の要部構成を示したブロック図である。
【図４】本発明のＨＤＤレコーダによる録画予約設定画面の画面図である。
【図５】本発明のＨＤＤレコーダによる録画予約設定画面における割り込み指示対応方法の選択画面の画面図である。
【符号の説明】
【００５３】
１      ＨＤＤレコーダ（映像情報処理装置）
１１    制御部
１２    メモリ
１３    ハードディスク（記憶部）
１４    データ入力部
１５    エンコーダ部
１６    デコーダ部
１７    データ出力部
１８    タイマー
２２    フロントパネル（表示部）
【図１】
2007059978.tif 000003
【図２】
2007059978.tif 000004
【図３】
2007059978.tif 000005
【図４】
2007059978.tif 000006
【図５】
2007059978.tif 000007